(57)【要約】【課題】排水容器内に水を溜めるための機構が比較的簡易であり、しかもゴミ等が付着しにくいものとなっている排水設備を提供する。【解決手段】排水容器３の流出口３ａに水位調節装置１０の管体１１の一端側が回動可能に接続されている。管体１１の他端側は容器１２内に挿入されている。管体１１の一端側は略水平となっており、他端側は、該一端側に対し垂直となっている。管体１１の他端側が上方へ向って延在した貯水姿勢となっているときには、管体１１内に、該他端（上端）まで水が溜まることから、この管体１１と連通した排水容器３内にも、管体１１の該他端と同一高さまで水が貯留される。【選択図】図２
2007291817.tif 000002
【特許請求の範囲】
【請求項１】
流し底部の排水口の下側に設けられた排水容器と、該排水容器に連なる排水流路と、該排水流路の途中に設けられた、該排水容器内の水位を調節する水位調節手段とを有する排水設備において、
該水位調節手段は、下部に水の流出部を有した容器と、
一端が該排水流路に連なっており、他端側が該容器内に配置された管体とを備えており、
該管体は、該他端が該一端よりも下位となっており、該一端からの水を該他端から流出させる流出姿勢と、
該他端が少なくとも前記排水容器の下端よりも高位となっており、該排水容器内に水を貯留させる貯水姿勢と
をとりうるように回動可能に設置されていることを特徴とする排水設備。
【請求項２】
請求項１において、前記管体は、前記一端側が略水平であり、前記他端側は該一端側に対し略垂直となっている略Ｌ字形であり、
該管体は、該一端側を回動中心として該他端側が上下方向に回動可能となっていることを特徴とする排水設備。
【請求項３】
請求項２において、前記管体を回動させるための駆動装置を備えたことを特徴とする排水設備。
【請求項４】
請求項１ないし３のいずれか１項において、前記容器は、その下部に水の貯留部が設けられており、
前記管体が前記流出姿勢をとったときに該管体の前記他端が該貯留部の水中に没することを特徴とする排水設備。
【請求項５】
請求項１ないし４のいずれか１項において、前記容器の流出部又はそれに連なる配管にトラップが接続されていることを特徴とする排水設備。
【請求項６】
請求項５において、該トラップの下流側と前記容器内とが通気路を介して連通しており、該通気路に、該容器から該トラップの下流側に向う気体の流れを許容し、それと反対方向の気体の流れを阻止する逆止弁が設けられていることを特徴とする排水設備。
【発明の詳細な説明】
【技術分野】
【０００１】
本発明は、シンク等の流しや、流し底部の排水口に水を溜めることができる排水設備に関する。
【背景技術】
【０００２】
Ｉ．  従来、シンク底面の開口部と排水管との間に排水容器を設置し、該排水容器内に網籠を設置して、排水管内にゴミが排出されることを防止している。
【０００３】
特開２００４−３２４１０８号には、網籠に付着した汚れを除去するために、網籠を収容している排水部に超音波発振器を設置した構成が開示されている。当該公報においては、シンクの排水部内に網籠が設けられ、該排水部の側面に給水路が接続され、該排水部の下部に電磁バルブよりなる排水弁が設けられている。そして、排水部及び網籠の洗浄を行う際には、排水弁を閉止すると共に給水路から給水することにより排水部内に水を溜め、次いで超音波発振器を作動させる。
【０００４】
II．  特開平９−２２４８５６号には、洗面ボールの排水口に連なるトラップを、上方に伸長可能な蛇腹状とし、トラップを上方に伸すことによりボール内に水を溜めることができるようにした構成が記載されている。
【特許文献１】特開２００４−３２４１０８号
【特許文献２】特開平９−２２４８５６号
【発明の開示】
【発明が解決しようとする課題】
【０００５】
上記特開２００４−３２４１０８号にあっては、排水部に電磁バルブを設けているが、野菜屑など比較的大きなゴミも流れてくるシンク等の場合、電磁バルブでは詰まり易い。
【０００６】
特開平９−２２４８５６号の蛇腹形の伸縮式トラップも、内面が凹凸の激しい蛇腹面となるため、ゴミが付着し易い。
【０００７】
本発明は、排水容器内に水を溜めるための機構が比較的簡易であり、しかもゴミ等が付着しにくいものとなっている排水設備を提供することを目的とする。
【課題を解決するための手段】
【０００８】
請求項１の排水設備は、流し底部の排水口の下側に設けられた排水容器と、該排水容器に連なる排水流路と、該排水流路の途中に設けられた、該排水容器内の水位を調節する水位調節手段とを有する排水設備において、該水位調節手段は、下部に水の流出部を有した容器と、一端が該排水流路に連なっており、他端側が該容器内に配置された管体とを備えており、該管体は、該他端が該一端よりも下位となっており、該一端からの水を該他端から流出させる流出姿勢と、該他端が少なくとも前記排水容器の下端よりも高位となっており、該排水容器内に水を貯留させる貯水姿勢とをとりうるように回動可能に設置されていることを特徴とするものである。
【０００９】
請求項２の排水設備は、請求項１において、前記管体は、前記一端側が略水平であり、前記他端側は該一端側に対し略垂直となっている略Ｌ字形であり、該管体は、該一端側を回動中心として該他端側が上下方向に回動可能となっていることを特徴とするものである。
【００１０】
請求項３の排水設備は、請求項２において、前記管体を回動させるための駆動装置を備えたことを特徴とするものである。
【００１１】
請求項４の排水設備は、請求項１ないし３のいずれか１項において、前記容器は、その下部に水の貯留部が設けられており、前記管体が前記流出姿勢をとったときに該管体の前記他端が該貯留部の水中に没することを特徴とするものである。
【００１２】
請求項５の排水設備は、請求項１ないし４のいずれか１項において、前記容器の流出部又はそれに連なる配管にトラップが接続されていることを特徴とするものである。
【００１３】
請求項６の排水設備は、請求項５において、該トラップの下流側と前記容器内とが通気路を介して連通しており、該通気路に、該容器から該トラップの下流側に向う気体の流れを許容し、それと反対方向の気体の流れを阻止する逆止弁が設けられていることを特徴とするものである。
【発明の効果】
【００１４】
本発明の排水設備においては、排水容器内に水を溜めない使用形態では、管体を流出姿勢とする。この状態においては、該排水容器の排水流路に連なる管体の一端よりも管体の他端の方が下位となっているので、排水流路から管体内に流れ込んだ水は、管体内に溜まることなく、管体の他端側から容器内に流れ落ち、該容器の底部の流出口から排水される。
【００１５】
排水容器内に水を貯留させる場合には、管体を貯水姿勢まで回動させる。これにより、該管体の他端が排水容器の下端よりも高位となる。この状態で流しに水を供給すると、管体の該他端（上端）と同一高さまで、排水容器内に水が溜まる。
【００１６】
この排水容器内の水を排水する場合には、管体を流出姿勢に戻す。
【００１７】
この排水設備にあっては、排水流路を閉鎖する電磁バルブを用いず、上記のような管体と容器とによって水位調節手段を構成しているので、構造が簡易であると共に、流路内にゴミ等が詰まりにくい。また、この管体は蛇腹管ではないので、管体の内面に汚れが付着しにくい。
【００１８】
請求項２のように、管体を、排水流路に連なる一端側が略水平であり、他端側が該一端側に対し略垂直となっているＬ字形のものとし、該一端側を回動中心として該他端側を上下方向に回動可能とすることにより、該管体を上下に回動させるだけで簡単に流出姿勢から貯水姿勢へ、又は貯水姿勢から流出姿勢へと管体の姿勢を変えることができる。
【００１９】
請求項３のように、この管体を回動させるための駆動装置を設けることにより、管体の姿勢変更を楽に行うことができる。ただし、本発明においては、管体を手動により回動させるように構成してもよい。
【００２０】
請求項４のように、容器に水の貯留部を設け、管体を流出姿勢としたときにこの管体の他端側が該貯留部の水中に没するようにすることにより、この容器内にトラップを形成することができる。
【００２１】
本発明においては、請求項５のように、容器の流出口又はこれに連なる配管にトラップを設けてもよい。
【００２２】
この場合、請求項６のように、該トラップの下流側と容器内とを通気路を介して連通させておくことにより、容器内あるいは管体内にもトラップ状の部分が生じても、ダブルトラップ効果によってトラップ内のトラップ水と該容器内あるいは管体内の貯留水とが消失してしまうことが防止される。なお、該通気路に、容器からトラップの下流側に向う気体の流れを許容し、これと反対方向の気体の流れを阻止する逆止弁を設けておくことにより、排水流路内の臭気が容器内に流入することが防止される。
【発明を実施するための最良の形態】
【００２３】
以下、図面を参照して本発明の実施の形態について説明する。
【００２４】
第１図は実施の形態に係る排水設備を備えた流し台の斜視図、第２図及び第３図はこの排水設備の縦断面図である。なお、第２図は管体が流出姿勢となっている状態を示し、第３図は管体が貯水姿勢となっている状態を示している。
【００２５】
第１図の通り、流し台の上部に流し１と該流し１内に水を供給するための水栓２とが設置されている。該流し１の底部には排水口（図示略）が設けられており、この排水口の下側に排水容器３が取り付けられている。この排水容器３内には、ゴミを溜める網籠（図示略）が設置されている。また、排水容器３の側面には、この網籠や該排水容器３の内面に付着した汚れを除去するための超音波発振器（図示略）が設けられている。
【００２６】
該排水容器３の底部に流出口３ａ（第２，３図）が設けられており、この流出口３ａに、該排水容器３内の水位を調節するための水位調節装置１０の管体１１の一端が回動可能に接続されている。なお、流出口３ａは横向きに開口しており、この流出口３ａに対し、管体１１の該一端側が略水平に接続されている。管体１１は、該一端側を回動中心として上下方向に回動する。
【００２７】
水位調節装置１０は、この管体１１と、この管体１１の他端側が挿入された容器１２と、この管体１１を回動させるための駆動装置１３等を備えている。該容器１２の底部に流出口１２ａ（第２，３図）が設けられており、この流出口１２ａに排水管１４が接続されている。この排水管１４は該容器１２から下方に延在しており、その途中部にトラップ１４ａが設けられている。
【００２８】
第２，３図の通り、管体１１の他端側は、容器１２の側面に設けられた管体挿入口１２ｂを介して該容器１２内に挿入されている。管体１１は、この容器１２内においてＬ字形に折れ曲がり、該他端側が前記一端側に対し略垂直に延在したものとなっている。符号１１ａは、該管体挿入口１２ｂと管体１１との間を密封するためのパッキンを示している。ただし、このパッキン１１ａは、該管体１１の回動を妨げるものではない。
【００２９】
第２図のように、管体１１の他端側が下方へ向って延在した流出姿勢となっているときには、前記排水容器３から管体１１内に流入した水は、管体１１内に溜まることなく、該他端側から容器１２内に流出し、排水管１４に排出される。
【００３０】
第３図のように、管体１１の他端側が上方へ向って延在した貯水姿勢となっているときには、管体１１内に該他端（上端）まで水が溜まることから、この管体１１と連通した排水容器３内にも、管体１１の該他端と同一高さまで水が貯留される。
【００３１】
前記駆動装置１３は、管体１１をこの流出姿勢から貯水姿勢、並びに貯水姿勢から流出姿勢へと回動させるためのものである。この実施の形態では、該駆動装置１３は、モータ１３ａと、該モータ１３ａの駆動軸に接続された主動側プーリ１３ｂと、管体１１の前記一端側の外周に設けられた従動側プーリ１３ｃと、該主動側プーリ１３ｂ及び従動側プーリ１３ｃに巻き掛けられた無端ベルト１３ｄと、制御回路（図示略）とを備えている。
【００３２】
前記流し台には、管体１１の姿勢を切り替えるスイッチ（図示略）が設けられている。これらのスイッチが操作されることにより、モータ１３ａが起動し、該モータ１３ａの駆動力が各プーリ１３ｂ、１３ｃ及びコグドベルト１３ｄによって管体１１に伝達され、管体１１が回動する。
【００３３】
なお、この駆動装置１３には、管体１１の回動角度を検出するセンサが設けられており、前記制御回路は、管体１１が流出姿勢から１８０°回動して貯水姿勢となったとき、並びに貯水姿勢から１８０°回動して流出姿勢となったときに、自動的にモータ１３ａの作動を停止させるよう構成されている。ただし、この制御回路は、操作者によって任意の角度にて管体１１の回動を停止させることができるよう構成されていてもよい。
【００３４】
この実施の形態では、水位調節装置１０は、容器１２内と排水管１４のトラップ１４ａよりも下流側とを連通する通気路１５を有している。この通気路１５の途中部には、該通気路１５内を容器１２から排水管１４に向う方向にのみ空気が流通することを許容する逆止弁１６が設けられている。
【００３５】
以下に、かかる構成の水位調節装置１０を備えた排水設備の使用方法について説明する。
【００３６】
排水容器３内に水を溜めない通常の流し使用時には、水位調節装置１０は、第２図のように、管体１１が流出姿勢とされた状態となっている。
【００３７】
この排水容器３内の網籠や該排水容器３の内面等を清掃するために排水容器３内に水を溜めるときには、前記スイッチを操作して第３図のように管体１１を貯水姿勢とする。この状態で水栓２から流し１に水を供給すると、図示の如く排水容器３内に所定水位（管体１１の上端と同一高さ）まで水が溜まる。その後、前記超音波発振器を作動させるか、あるいはスポンジ等で擦るなどして網籠や排水容器３内を清掃する。
【００３８】
清掃作業終了後、前記スイッチを操作して管体１１を流出姿勢に戻す。これにより、排水容器３内の水が排水管１４に排出され、通常の流し使用状態となる。
【００３９】
なお、この実施の形態では、管体１１を流出姿勢として排水容器３内及び該管体１１内に水を溜めると、この排水容器３及び管体１１内の貯留水もトラップ水として機能し、排水管１４のトラップ１４ａと併せて２重にトラップが形成されることとなる。しかしながら、この排水設備１０にあっては、排水管１４の該トラップ１４ａよりも下流側と容器１２内とが通気路１５を介して連通しているので、排水管１４内を水が流れたときに、該排水容器３内及び管体１１内の貯留水とトラップ１４ａ内のトラップ水とがダブルトラップ効果により消失してしまうことはない。
【００４０】
この排水設備にあっては、排水容器３内からの水の流出を規制するために電磁バルブを用いず、管体１１と容器１２とで水位調節装置１０を構成しているので、機構が簡易であると共に、排水流路にゴミ等がつまりにくい。また、この管体１１は蛇腹管ではなく、内面が平滑となっているので、この管体１１内に汚れが付着しにくい。
【００４１】
第４図は別の実施の形態に係る排水設備を備えた流し台の斜視図、第５図及び第６図はこの排水設備の縦断面図である。なお、第５図は管体が流出姿勢となっている状態を示し、第６図は管体が貯水姿勢となっている状態を示している。
【００４２】
この実施の形態の水位調節装置１０Ａも、一端が排水容器３の流出口３ａに回動可能に接続されたＬ字形の管体１１と、該管体１１の他端側が挿入された容器１２Ａと、該管体１１を回動させるための駆動装置１３等を備えている。
【００４３】
この実施の形態では、該容器１２Ａの底部は段々になっており、上側の段に流出口１２ａが設けられ、下側の段は水の貯留部１７となっている。管体１１から流出した水は該貯留部１７に貯留され、該貯留部１７から溢れた水が、流出口１２ａから該流出口１２ａに連なる排水管１４Ａに排水される。
【００４４】
この実施の形態では、管体１１が流出姿勢即ち該管体１１の他端側が下方に延在した姿勢となったときに、該他端側が貯留部１７の貯留水中に没するよう構成されている。即ち、この実施の形態では、容器１２Ａ内にトラップが形成されるようになっている。そのため、この実施の形態では、前記排水管１４Ａからトラップが省略されている。また、前述の第１〜３図の実施の形態における通気路１５も省略されている。
【００４５】
この水位調節装置１０Ａのその他の構成は第１〜３図の水位調節装置１０と同様であり、第５〜７図において第１〜３図と同一符号は同一部分を示している。
【００４６】
かかる構成の水位調節装置１０Ａを備えた排水設備にあっては、上記のように、容器１２Ａ内にトラップが形成されるため、該容器１２Ａの流出口１２ａに連なる排水管１４Ａにトラップを設ける必要がなく、構成を一層簡易なものとすることができる。
【００４７】
なお、管体１１を貯水姿勢とすると、第７図のように該管体１１の他端側が貯留部１７の貯留水中から抜け出し、上方へ延在した姿勢となるため、容器１２Ａ内のトラップは消失してしまうが、図示の通り排水容器３内と管体１１内とに溜まった水がトラップ水となる。
【００４８】
ただし、この実施の形態でも、排水管１４Ａにトラップが設けられてもよい。この場合、第１〜３図の実施の形態と同様、排水管１４Ａの該トラップよりも下流側と容器１２Ａとを連通する通気路１５を設けることにより、ダブルトラップ効果による貯留水の流失を防止することができる。
【００４９】
上記の実施の形態はいずれも本発明の一例を示すものであり、本発明は上記の実施の形態に限定されない。
【００５０】
例えば、上記の実施の形態では管体１１を駆動装置１３により回動させているが、この駆動装置１３を省略し、操作者が手動により管体１１を回動させるよう構成してもよい。
【００５１】
管体１１を貯水姿勢としたときにその上端が流し１の底部よりも高位となるよう構成し、該流し１内にも水を溜められるようにしてもよい。
【図面の簡単な説明】
【００５２】
【図１】実施の形態に係る排水設備を備えた流し台の斜視図である。
【図２】図１の排水設備の水流出時を示す断面図である。
【図３】図１の排水設備の水貯留時を示す断面図である。
【図４】別の実施の形態に係る排水設備を備えた流し台の斜視図である。
【図５】図４の排水設備の水流出時を示す断面図である。
【図６】図４の排水設備の水貯留時を示す断面図である。
【符号の説明】
【００５３】
１  流し
２  水栓
３  排水容器
３ａ  流出口
１０，１０Ａ  水位調節装置
１１  管体
１２，１２Ａ  容器
１２ａ  流出口
１３  駆動装置
１４，１４ａ  排水管
１５  通気路
１６  逆止弁
１７  貯留部
【図１】
2007291817.tif 000003
【図２】
2007291817.tif 000004
【図３】
2007291817.tif 000005
【図４】
2007291817.tif 000006
【図５】
2007291817.tif 000007
【図６】
2007291817.tif 000008